(57)【要約】【課題】体臭・汗臭を確実に消すことができ、汗むれを確実に防ぐことができ、さらにアンモニア臭やホルムアルデヒド臭を確実に消臭することができる木炭パウダー入り寝具用マットを提供する。【解決手段】木炭パウダー入り寝具用マット１０は、マットカバー１２が略矩形状に形成され、このマットカバー１２に複数の収容部１３が連続して設けられ、これらの収容部１３の開口１４がマットカバー１２の側縁１５にそれぞれ設けられ、各開口１４からそれぞれの収容部１３に檜からなる木炭パウダー１７を含んだ綿繊維ボード１６を着脱自在に収容する。【選択図】　図１
2004049272.tif 000002
【特許請求の範囲】
【請求項１】
畳みや寝具用マットの上面に敷いて使用する木炭パウダー入り寝具用マットであって、
マットカバーが略矩形状に形成され、このマットカバーに複数の収容部が連続して設けられ、これらの収容部の開口がマットカバーの側縁にそれぞれ設けられ、各開口からそれぞれの収容部に木炭パウダーを含んだ綿繊維ボードを着脱自在に収容したことを特徴とする木炭パウダー入り寝具用マット。
【請求項２】
前記開口に、開口を塞ぐための折返し部が備えられていることを特徴とする請求項１に記載の木炭パウダー入り寝具用マット。
【請求項３】
前記マットカバーに設けられた収容部の内面が織綿布で形成されていることを特徴とする請求項１又は２に記載の木炭パウダー入り寝具用マット。
【請求項４】
前記綿繊維ボードは、硬綿で略矩形状のボード体に形成され、このボード体内に木炭パウダーが含まれ、ボード体が不織紙からなる内袋に収納され、この内袋に収納されたボード体が綿布からなる外袋に収納されていることを特徴とする請求項１乃至３の何れかに記載の木炭パウダー入り寝具用マット。
【請求項５】
前記木炭パウダーは、檜からなる木炭パウダーであることを特徴とする請求項１乃至４の何れかに記載の木炭パウダー入り寝具用マット。
【発明の詳細な説明】
【０００１】
【発明の属する技術分野】
本発明は木炭パウダー入り寝具用マットに係り、特に介護用マットに適用することで被介護人が快適に過ごすことができ、さらに介護人が介護しやすくなる木炭パウダー入り寝具用マットに関する。
【０００２】
【従来の技術】
近年、高齢化が進みベッド内で多くの時間を過ごす人が増える傾向にある。このため、ベッド内で快適に過ごすことができるように、例えば寝心地が改良された介護用ベッドなどが提案されている。
【０００３】
さらには、介護人の負担を軽くして、より快適に介護をおこなうことができるような介護用ベッドの提案もなされている。
【０００４】
【発明が解決しようとする課題】
しかるに、従来の介護用ベッドでは、体臭・汗臭を確実に消すことが難しく、また汗むれを確実に防ぐことも難しいとされている。
【０００５】
さらに、従来の介護用ベッドでは、被介護人がベッド内でおもらしをしたような場合に、そこから発生するアンモニア臭を消臭することが難しく、同様にホルムアルデヒド臭を消臭することも難しいとされていた。
この点を改良することで、被介護人がベッド内で心地よく過ごすことができ、さらに介護人にとっても気持ちよく介護がおこなえるようになる。
【０００６】
本発明は、体臭・汗臭を確実に消して、汗むれを防ぎ、さらにアンモニア臭やホルムアルデヒド臭を消臭できる木炭パウダー入り寝具用マットを提供して、上述の全ての問題点を解消しようとするものである。
【０００７】
【課題を解決するための手段】
上記目的を達成するために請求項１の発明は、畳みや寝具用マットの上面に敷いて使用する木炭パウダー入り寝具用マットであって、マットカバーが略矩形状に形成され、このマットカバーに複数の収容部が連続して設けられ、これらの収容部の開口がマットカバーの側縁にそれぞれ設けられ、各開口からそれぞれの収容部に木炭パウダーを含んだ綿繊維ボードを着脱自在に収容したことを特徴とする。
【０００８】
上記した本発明に係る木炭パウダー入り寝具用マットは、マットカバーの収容部に木炭パウダーを含んだ綿繊維ボードを収容したため、体臭・汗臭を確実に消すことができ、さらにアンモニア臭やホルムアルデヒド臭を確実に消臭することもできる。
【０００９】
また、木炭パウダーを綿繊維ボードに含ませ、この綿繊維ボードは硬綿繊維を一定の厚さに形成したもので、介護用マットの保型性と弾力性を確保し、かつ汗むれの発生を防ぐことができる。
さらに、収容部の開口から綿繊維ボードを取り出すことができるので、マットカバーのみを洗濯することができ、結果的には介護用マットを清潔に保つことができる。
【００１０】
請求項２の発明は、前記開口に、開口を塞ぐための折返し部が備えられていることを特徴とする。
【００１１】
このように開口を塞ぐための折返し部を備えたので、介護用マットの使用中に綿繊維ボードがマットカバーの収容部から不用意に抜け出すことが防止され、この点で介護人の負担を軽減することができる。
【００１２】
請求項３の発明は、前記マットカバーに設けられた収容部の内面が織綿布で形成されていることを特徴とする。
【００１３】
マットカバーの収容部内面を織綿布で形成することで、液状のもの（尿）を通し難くし、気体状のもの（湿気、水蒸気）は通し易くし、これにより、万が一おもらしをした場合でも、尿が綿繊維ボードまで侵入することを防ぐことができ、単にマットカバーの表面をふき取るだけで尿をきれいに除去できることとなる。
【００１４】
請求項４の発明は、前記綿繊維ボードは、硬綿で略矩形状のボード体に形成され、このボード体内に木炭パウダーが含まれ、ボード体が不織紙からなる内袋に収納され、この内袋に収納されたボード体が綿布からなる外袋に収納されていることを特徴とする。
【００１５】
ボード体を内袋及び外袋で二重に覆うようにし、この内袋と外袋とは液状のもの（尿）は通さないが、気体状のもの（湿気、水蒸気）は通す性質の素材で形成されているため、水分をより一層通し難くすることができ、尿が綿繊維ボードまで侵入すること等は確実に防ぐことができる。もちろん、木炭パウダーの外部への漏出も当然防ぐことができる。
【００１６】
請求項５の発明は、前記木炭パウダーは、檜からなる木炭パウダーであることを特徴とする。
【００１７】
木炭パウダーに檜からなる木炭パウダーを使用しているが、檜を使った木炭の表面には、多くの微小穴が無数に存在し、その微小穴の内壁中にもまた微小穴が多数存在しているの。このため、この木炭パウダーは微小穴が縦横無尺に繋がっている多孔質の素材であることから、外気に触れる微小穴の表面積が大きくなるので、周辺の臭気等を確実に消臭することができるようになる。
【００１８】
【発明の実施の形態】
以下添付図面に基づいて、本発明に係る木炭パウダー入り寝具用マットの一実施の形態を詳説する。
図１は本発明に係る木炭パウダー入り寝具用マットを示す斜視図、図２は図１のＡ−Ａ線断面図、図３は本発明に係る木炭パウダー入り寝具用マットを裏面側から見た例を示す斜視図、図４は図３のＢ−Ｂ線断面図、図５は本発明に係る木炭パウダー入り寝具用マットの綿繊維ボードを示す斜視図、図６は本発明に係る木炭パウダー入り寝具用マットの作用を説明する断面図である。
【００１９】
図１〜図４に示す木炭パウダー入り寝具用マット１０は、畳み（図示せず）やマットレス１１の上面に敷いて使用するマットであり、以下、介護用のマットを例にして説明する。
【００２０】
この木炭パウダー入り寝具用マット１０は、マットカバー１２が略矩形状に形成され、このマットカバー１２に複数（一例として、６個）の収容部１３が連続して設けられ、これらの収容部１３の開口１４（図３、図４参照）がマットカバー１２の側縁１５に設けられ、各開口１４からそれぞれの収容部１３に木炭パウダー（檜からなる木炭パウダー）１７を含んだ綿繊維ボード１６が着脱自在に収容されている。
【００２１】
マットカバー１２は、その表面１８及び裏面１９を綿２０（図６参照）を収容した織綿布製のキルティングで形成し、その四隅２１にマットレス１１の四隅２２にかけるためのバンド２３を備えている。
マットカバー１２の表面１８及び裏面１９にキルティングを使用することでクッション性を高めるとともに、保温性を高めることができるようになった。
【００２２】
また、マットカバー１２の表面１８を織綿布製のキルティングとすることで、水を通し難くでき、被介護人がおもらしをしたような場合でも、その尿が綿繊維ボード１６まで侵入することを防ぐことができる。
【００２３】
前記バンド２３は、ゴムなどの素材で伸縮自在に形成され、マットレス１１の四隅２２にかけることにより、マットカバー１２をマットレス１１に確実に係止できるようになる。
【００２４】
さらに、図３、図４に示すように、収容部１３内の綿繊維ボード１６を開口１４から取り出すことができるので、綿繊維ボード１６を取り出した後はマットカバー１２のみを洗濯することができ、これにより木炭パウダー入り寝具用マット１０を常に清潔に保つことができる。
【００２５】
図２、図４に示すように、収容部１３の開口１４には、開口１４を塞ぐための折返し部２５が備えられているので、本発明の木炭パウダー入り寝具用マットの使用中に、綿繊維ボード１６が収容部１３から不用意に抜け出すことは防止され、この点で介護人の負担を軽減することができる。
【００２６】
また、図２及び図４に示すように、マットカバー１２に設けられた収容部１３の内面２６を織綿布で形成したので、被介護者がおもらしをしたような場合でも、その尿が綿繊維ボード１６まで侵入することを確実に防ぐことができ、綿繊維ボード１６を常に清潔に保つことができるようになる。
【００２７】
さらに、図５に示すように収容部１３内の綿繊維ボード１６は、硬綿により略矩形状のボード体２７に形成され、木炭パウダー１７を含んだボード体２７が不織紙（１枚乃至複数枚）からなる内袋２８に収納され、この内袋２８に収納されたボード体２７が綿布からなる外袋２９に収納される。
【００２８】
綿繊維ボード１６は硬綿繊維を一定の厚さに形成したものであるから、保型性と弾力性が確保される。また、マットカバー１２の収容部１３の内面を織綿布で形成したので、尿は通過させずに、湿気や水蒸気のみを通過させることができるようになる。このため、尿をもらした場合でも、木炭パウダー入り寝具用マットの表面１８をふき取るだけでサラサラ感を保つことができ、汗むれもなく、被介護人が心地よくベッド内で過ごすことができるようになる。
【００２９】
また、ボード体２７を内袋２８及び外袋２９で二重に覆うようにし、その内袋２８と外袋２９もともに尿は通過させずに、湿気や水蒸気のみを通過させるものであるため、尿がボード体２７まで侵入することを確実に防ぐことができ、綿繊維ボード１６を一層清潔に保つことができる。
【００３０】
ボード体２７に含まれる木炭パウダー１７は、一例として檜からなる木炭パウダーが該当するが、木炭パウダー１７はこれに限られるものではない。
但し、檜からなる木炭パウダー１７の表面には、多くの微小穴が無数に存在し、その微小穴の内壁中には、さらに別の微小穴が多数存在している。このため、これらの全ての微小穴が縦横無尺に繋がっている多孔質の素材となり、結果として外気に触れる微小穴の表面積が大きくなる。
【００３１】
このように、檜からなる木炭パウダー１７によれば、外気に触れる微小穴の表面積が大きくなるので、臭気を確実に消臭することができ、体臭・汗臭を確実に消すことができ、同時にアンモニア臭やホルムアルデヒド臭も確実に消臭できるようになる。
よって、被介護人は心地よくベッド内で過ごすことができ、さらに介護人は快適に被介護人の介護をおこなうことができる。
【００３２】
つぎに、木炭パウダー入り寝具用マット１０の作用を図６に基づいて説明する。
マットカバー１２の表面１８を織綿布製のキルティングで形成したので、被介護人がおもらしをした場合でも、矢印Ａのように表面１８の織綿布製のキルティングで尿をはじくことができ、マットカバー１２の内部に尿が侵入することを防ぐことができる。
【００３３】
また、マットカバー１２の収容部１３には檜からなる木炭パウダー１７を含んだ綿繊維ボード１６を収容したので、矢印Ｂに示すように体臭・汗臭などの臭いが綿繊維ボード１６（すなわち、ボード体２７）まで進入して、ボード体２７の檜からなる木炭パウダー１７にて確実に消臭されるようになる。
体臭・汗臭などの臭いと同様に、アンモニア臭やホルムアルデヒド臭をもこの木炭パウダー１７で確実に消すことができる。
【００３４】
さらに、織綿布や綿繊維ボード１６（すなわち、ボード体２７）は矢印Ｃに示すように水蒸気を通すことができるので、木炭パウダー入り寝具用マットの表面１８のサラサラ感を保つことができ、汗むれなどの発生を抑えることができる。
【００３５】
つぎに、図７のグラフで、本発明に係る木炭パウダー入り寝具用マット１０を使用した際のアンモニアの消臭性について説明する。
グラフＧ１はボード体２７に檜からなる木炭パウダー１７を１ｇ含ませた綿繊維ボード１６を使用した場合のアンモニア消臭性を示す。
グラフＧ１から明らかなように、１０００ｐｐｍのアンモニア臭は１０分経過後には６４０ｐｐｍに減少し、６０分経過後には５６０ｐｐｍに減少した。
【００３６】
グラフＧ２は、ボード体２７に檜からなる木炭パウダー１７を３ｇ含ませた綿繊維ボード１６を使用した場合のアンモニア消臭性を示す。
グラフＧ２から明らかなように、１０００ｐｐｍのアンモニア臭は１０分経過後には３００ｐｐｍに減少し、６０分経過後には２２０ｐｐｍに減少した。
【００３７】
グラフＧ３は、ボード体２７に檜からなる木炭パウダー１７を５ｇ含ませた綿繊維ボード１６を使用した場合のアンモニア消臭性を示す。
グラフＧ３から明らかなように、１０００ｐｐｍのアンモニア臭は１０分経過後には１６４ｐｐｍに減少し、６０分経過後には１００ｐｐｍに減少した。
【００３８】
グラフＧ４は、ボード体２７に檜からなる木炭パウダー１７を１０ｇ含ませた綿繊維ボード１６を使用した場合のアンモニア消臭性を示す。
グラフＧ４から明らかなように、１０００ｐｐｍのアンモニア臭は１０分経過後には６０ｐｐｍに減少し、６０分経過後には４０ｐｐｍに減少した。
【００３９】
図７に示す通り、ボード体２７に檜からなる木炭パウダー１７を１ｇ、３ｇ、５ｇ、１０ｇ含ませると、アンモニア臭を十分に消臭することができることが判る。さらに、檜からなる木炭パウダー１７の含有量は、１ｇ〜１０ｇの範囲で多量に含ませると消臭効果がさらに高くなることが判る。
【００４０】
つぎに、図８のグラフで、本発明に係る木炭パウダー入り寝具用マット１０を使用した際のホルムアルデヒドの消臭性について説明する。
グラフＧ５は、ボード体２７に檜からなる木炭パウダー１７を１ｇ含ませた綿繊維ボード１６を使用した場合のホルムアルデヒド消臭性を示す。
グラフＧ５から明らかなように、１６ｐｐｍのホルムアルデヒド臭は２分経過後には１．５ｐｐｍに減少し、その後ホルムアルデヒド臭を１．５ｐｐｍに保つことができる。
【００４１】
グラフＧ６は、ボード体２７に檜からなる木炭パウダー１７を３ｇ含ませた綿繊維ボード１６を使用した場合のホルムアルデヒド消臭性を示す。
グラフＧ６から明らかなように、１６ｐｐｍのホルムアルデヒド臭は２分経過後には０．５ｐｐｍに減少し、その後ホルムアルデヒド臭を０．５ｐｐｍに保つことができる。
【００４２】
図８に示す通り、ボード体２７に檜からなる木炭パウダー１７を１ｇ、３ｇ含ませると、ホルムアルデヒド臭を十分に消臭することができることが判る。さらに、檜からなる木炭パウダー１７の含有量は１ｇ〜３ｇの範囲で多量に含ませると消臭効果がさらに高くなることが判る。
【００４３】
つぎに、図９のグラフで本発明に係る木炭パウダー入り寝具用マット１０を使用した際のホルムアルデヒドの消臭性について説明する。
グラフＧ７は、ボード体２７に檜からなる木炭パウダー１７を５ｇ含ませた綿繊維ボード１６を使用した場合のホルムアルデヒド消臭性を示す。
グラフＧ７から明らかなように、２００ｐｐｍのホルムアルデヒド臭は１分経過後には５０ｐｐｍに減少し、５分経過後には３０ｐｐｍに減少し、その後ホルムアルデヒド臭を３０ｐｐｍに保つことができる。
【００４４】
グラフＧ８は、ボード体２７に檜からなる木炭パウダー１７を１０ｇ含ませた綿繊維ボード１６を使用した場合のホルムアルデヒド消臭性を示す。
グラフＧ８から明らかなように、５００ｐｐｍのホルムアルデヒド臭は１分経過後には１００ｐｐｍに減少し、その後ホルムアルデヒド臭を１００ｐｐｍに保つことができる。
図９に示すとおり、ボード体２７に檜からなる木炭パウダー１７を５ｇ、１０ｇ含ませると、ホルムアルデヒド臭を十分に消臭することができることが判る。
【００４５】
なお、前記実施の形態では、木炭パウダー入り寝具用マット１０を介護用マットに適用した例に説明したが、この寝具用マット１０は介護用マットに限られることなく、通常の寝具用マットとして使用することも可能である。
また、前記実施の形態では、木炭パウダー入り寝具用マット１０をマットレス１１の表面に敷いて使用する例について説明したが、これに限られずに、この寝具用マット１０を畳などに敷いて使用することも可能である。
【００４６】
【発明の効果】
以上述べたように、請求項１による木炭パウダー入り寝具用マットによれば、マットカバーの収容部に木炭パウダーを含んだ綿繊維ボードを収容した。これにより、体臭・汗臭を確実に消すことができ、さらにアンモニア臭やホルムアルデヒド臭を確実に消臭することができる。
したがって、被介護人が心地よくベッド内で過ごすことができ、さらに介護人が快適に介護をおこなうことができる。
【００４７】
また、木炭パウダーを綿繊維ボードに含ませ、綿繊維ボードは硬綿繊維を一定の厚さに形成したものであるから、介護用マットの保型性と弾力性とを確保し、かつ汗むれの発生を防ぐことができる。
【００４８】
さらに、開口から簡単に綿繊維ボードを取り出すことができるので、マットカバーのみを洗濯することができ、介護用マットを常に清潔に保つことができる。
【００４９】
請求項２の発明は、開口を塞ぐための折返し部を備えたので、介護用マットの使用中に綿繊維ボードがマットカバーの収容部から不用意に抜け出すことを防止できるので、介護人の負担を軽減することができる。
【００５０】
請求項３の発明は、マットカバーの収容部内面を織綿布で形成することで、水分を通し難くすることがで、被介護人がおもらしをした場合でも、その尿が綿繊維ボードまで侵入することを防ぐことができ、綿繊維ボードを清潔に保つことができる。
【００５１】
請求項４の発明は、ボード体を内袋及び外袋で二重に覆うようにしたので、水分をより一層通し難くすることができ、尿が綿繊維ボードまで侵入することを確実に防ぎ、綿繊維ボードを一層清潔に保てるようになる。
【００５２】
請求項５の発明は、木炭パウダーに檜からなる木炭パウダーを使用しており、この檜からなる木炭パウダーは、その表面に多くの微小穴が存在し、その微小穴の表面中にもまた別の微小穴が多数存在し、これらの全ての微小穴が縦横無尺に繋がって外気に触れることができる。
【００５３】
したがって、全体として外気に触れる微小穴の表面積が大きくなり、臭気の分子を確実に捕捉して確実な消臭ができ、アンモニア臭やホルムアルデヒド臭を確実に消臭できるという優れた効果がある。
【図面の簡単な説明】
【図１】本発明に係る木炭パウダー入り寝具用マットを示す斜視図である。
【図２】図１のＡ−Ａ線断面図である。
【図３】本発明に係る木炭パウダー入り寝具用マットを裏面側から見た例を示す斜視図である。
【図４】図３のＢ−Ｂ線断面図である。
【図５】本発明に係る木炭パウダー入り寝具用マットの綿繊維ボードを示す斜視図である。
【図６】本発明に係る木炭パウダー入り寝具用マットの作用を説明する断面図である。
【図７】本発明に係る木炭パウダー入り寝具用マットを使用した際のアンモニア消臭性を説明したグラフである。
【図８】本発明に係る木炭パウダー入り寝具用マットを使用した際のホルムアルデヒド消臭性を説明したグラフである。
【図９】本発明に係る木炭パウダー入り寝具用マットを使用した際のホルムアルデヒド消臭性を説明したグラフである。
【符号の説明】
１０…木炭パウダー入り寝具用マット
１１…マットレス
１２…マットカバー
１３…収容部
１４…開口
１５…マットカバーの側縁
１６…綿繊維ボード
１７…檜からなる木炭パウダー（木炭パウダー）
１８…表面
１９…裏面
２０…綿
２１…マットカバーの四隅
２２…マットレスの四隅
２３…バンド
２５…折返し部
２６…収容部の内面
２７…ボード体
２８…内袋
２９…外袋
【図１】
2004049272.tif 000003
【図２】
2004049272.tif 000004
【図３】
2004049272.tif 000005
【図４】
2004049272.tif 000006
【図５】
2004049272.tif 000007
【図６】
2004049272.tif 000008
【図７】
2004049272.tif 000009
【図８】
2004049272.tif 000010
【図９】
2004049272.tif 000011